(57)【要約】【課題】熱膨張・熱収縮によりドレンパンヒータが変形を繰り返しても、簡易な構造で、ドレンパンヒータが固定装置から脱離するのを抑制することを課題とする。【解決手段】本発明のユニットクーラは、冷却器の下方に配置され冷却器に付着した霜の融解水を受けるドレンパンと、ドレンパンに配置されたドレンパンヒータと、ドレンパンヒータをドレンパンに固定する固定装置と、を備え、固定装置は、金属ワイヤと、一端がドレンパンに固定されるとともに他端が下方に開放された開放凹部を有する片側開放バンドと、を有し、ドレンパンヒータの両側に片側開放バンドが配置され、ドレンパンヒータの上方を渡して金属ワイヤの両端がドレンパンヒータの両側に配置された片側開放バンドの開放凹部によりそれぞれ保持されることにより、金属ワイヤがドレンパンヒータをドレンパンに固定する。【選択図】図１
2015059723.tif 000002
【特許請求の範囲】
【請求項１】
ケーシングと、前記ケーシング内部に配置された冷却器と、前記冷却器に送風する送風機と、前記冷却器の下方に配置され前記冷却器に付着した霜の融解水を受けるドレンパンと、前記ドレンパンに配置されたドレンパンヒータと、前記ドレンパンヒータを前記ドレンパンに固定する固定装置と、を備え、
前記固定装置は、金属ワイヤと、一端が前記ドレンパンに固定されるとともに他端が下方に開放された開放凹部を有する片側開放バンドと、を有し、
前記ドレンパンヒータの両側に前記片側開放バンドが配置され、
前記ドレンパンヒータの上方を渡して、前記金属ワイヤの両端が前記ドレンパンヒータの両側に配置された前記片側開放バンドの開放凹部によりそれぞれ保持されることにより、前記金属ワイヤが前記ドレンパンヒータを前記ドレンパンに固定するユニットクーラ。
【請求項２】
請求項１において、前記金属ワイヤは前記ドレンパンヒータの移動を規制する凸部を有し、前記ドレンパンと前記凸部の間に前記ドレンパンヒータを配置するユニットクーラ。
【請求項３】
冷媒を圧縮する圧縮機と、前記圧縮機により圧縮された冷媒を凝縮する凝縮器と、前記凝縮器により凝縮された冷媒を減圧する減圧手段と、前記減圧手段により減圧された冷媒を蒸発させる蒸発器として用いられる請求項１又は２に記載されたユニットクーラと、を備える冷凍サイクル装置。
【発明の詳細な説明】
【技術分野】
【０００１】
本発明は、空調・冷凍・冷蔵ユニット等に用いられるユニットクーラに関する。
【背景技術】
【０００２】
冷却運転時、ユニットクーラ内の冷却器と周囲空気の温度差により、空気中の水分が冷却器内にて結露する。低温域の使用では、この結露水が凍結して霜となり、冷却器に目詰まりを生じさせ、冷却器の性能を低下させる。そのため、低温用のユニットクーラには除霜ヒータが冷却器に取り付けられており、除霜運転において、ヒータに通電して霜を溶解させる。冷却器下方のドレンパンは、除霜時の溶解水や霜の塊を受けてユニットクーラ外に排水させる。
【０００３】
ドレンパンにはドレンパンヒータが取り付けられる。溶解水が再凍結した霜や冷却器より受けた霜の塊が蓄積されて、送風機や冷却器に干渉しないように、除霜ヒータと同様に、除霜運転時に通電して、ドレンパンに蓄積した霜を溶解させる。
【０００４】
特許文献１及び特許文献２は、これらドレンパンヒータ又は除霜ヒータの固定方法を開示する。具体的には、金属バンドとネジにより固定する方法や、板金の溶接された片側開放バンドに直接的にヒータをはめ込んで固定する方法を開示する。
【先行技術文献】
【特許文献】
【０００５】
【特許文献１】特願平７−３１４２１１号公報
【特許文献２】特願２０１０−１０７８２０号公報
【発明の概要】
【発明が解決しようとする課題】
【０００６】
ドレンパンヒータ自身の発熱により、除霜運転毎に、ドレンパンヒータの熱膨張・熱収縮が生じる。固定金具の加工時に形成されたざらつき（バリ）や、固定金具とドレンパンヒータとの接触面積に依存する摩擦力により、ドレンパンヒータがドレンパンに沿ってスライドしやすい方向が存在し、熱膨張・熱収縮の変形を繰り返すことで固定金具に対してドレンパンヒータが相対的に移動する。その結果、ドレンパンヒータがドレンパン側壁に衝突して変形したり、固定金具から脱離する。ドレンパンから脱離したドレンパンヒータは、送風機の振動等によりドレンパンと繰返し衝突し、異音を発生する。
【０００７】
本発明は、熱膨張・熱収縮によりドレンパンヒータが変形を繰り返しても、簡易な構造で、ドレンパンヒータが固定装置から脱離するのを抑制することができるユニットクーラを提供することを課題とする。
【課題を解決するための手段】
【０００８】
本発明のユニットクーラは、ケーシングと、ケーシング内部に配置された冷却器と、冷却器に送風する送風機と、冷却器の下方に配置され冷却器に付着した霜の融解水を受けるドレンパンと、ドレンパンに配置されたドレンパンヒータと、ドレンパンヒータをドレンパンに固定する固定装置と、を備え、固定装置は、金属ワイヤと、一端がドレンパンに固定されるとともに他端が下方に開放された開放凹部を有する片側開放バンドと、を有し、ドレンパンヒータの両側に片側開放バンドが配置され、ドレンパンヒータの上方を渡して金属ワイヤの両端がドレンパンヒータの両側に配置された片側開放バンドの開放凹部によりそれぞれ保持されることにより、金属ワイヤがドレンパンヒータをドレンパンに固定する。
【発明の効果】
【０００９】
本発明のユニットクーラによれば、熱膨張・熱収縮によりドレンパンヒータが変形を繰り返しても、簡易な構造で、ドレンパンヒータが固定装置から脱離するのを抑制することができる。
【図面の簡単な説明】
【００１０】
【図１】ドレンパンヒータ固定方法の概略図
【図２】ユニットクーラの概略図
【図３】ドレンパンヒータを押さえる金属ワイヤの概略図
【図４】金属ワイヤを押さえる片側開放バンドの概略図
【発明を実施するための形態】
【００１１】
本実施例のユニットクーラは、ケーシングと、ケーシング内部に配置された冷却器と、冷却器に送風する送風機と、冷却器の下方に配置され冷却器に付着した霜の融解水を受けるドレンパンと、ドレンパンに配置されたドレンパンヒータと、ドレンパンヒータをドレンパンに固定する固定装置と、を備え、固定装置は、金属ワイヤと、一端がドレンパンに固定されるとともに他端が下方に開放された開放凹部を有する片側開放バンドと、を有し、ドレンパンヒータの両側に片側開放バンドが配置され、ドレンパンヒータの上方を渡して金属ワイヤの両端がドレンパンヒータの両側に配置された片側開放バンドの開放凹部によりそれぞれ保持されることにより、金属ワイヤがドレンパンヒータをドレンパンに固定する。
【００１２】
本実施例のユニットクーラによれば、熱膨張・熱収縮によりドレンパンヒータが変形を繰り返しても、簡易な構造で、ドレンパンヒータが固定装置から脱離するのを抑制することができる。つまり、本実施例のユニットクーラにおいては、固定装置によりドレンパンヒータをドレンパン平面鉛直方向に対して固定できるとともに、ドレンパンヒータの固定を片側開放バンドではなく金属ワイヤにより行うので、片側開放バンドの加工によるバリがなく、また、固定装置とドレンパンヒータの接触による摩擦力も低減されるので、熱膨張・熱収縮によりドレンパンヒータが変形を繰り返しても、ドレンパンヒータの変形や固定装置からの脱離を防ぐことができる。また、このような本実施例のドレンパンヒータ固定構造は、ネジや特殊な固定金具を用いずに、片側開放金属バンドにより金属ワイヤを介してドレンパンヒータを固定しているため、金属ワイヤを操作することでドレンパンヒータの取付け／取外しを容易に行うことができる。
【００１３】
以下、図面を用いて、本実施例のユニットクーラの詳細について説明する。図１はドレンパンヒータの固定方法を示し、図２はユニットクーラの構成を示す。
【００１４】
本実施例のユニットクーラは、一例として、空調・冷蔵・冷凍用途の冷凍サイクル装置が備える室内機に適用される。この冷凍サイクル装置は、冷媒を圧縮する圧縮機と、圧縮機により圧縮された冷媒を凝縮する室外機（凝縮器）と、凝縮器により凝縮された冷媒を減圧する減圧手段と、減圧手段により減圧された冷媒を蒸発させる室内機（蒸発器）とを備える。このような冷蔵・冷凍用途の冷凍サイクル装置は、庫内温度を＋３℃から−４０℃以下に冷却させて、冷凍食品、野菜類、精肉鮮魚等を冷凍・冷蔵保冷する。
【００１５】
図２において、空調・冷蔵・冷凍庫１内にユニットクーラ２を吊下金具３により吊垂支持する。ユニットクーラ２には、外板となるケーシング４とケーシング４下部に配置されたドレンパン５が取り付けられる。ケーシング４内には冷却器６及び送風機７が配置される。
【００１６】
図示しない冷凍機からの冷媒は、ケーシング４外に配設した冷媒入口管９から、図示しない電磁弁、膨張弁を介して冷却器６に送られ、庫内空気と熱交換する。冷却器６内で庫内空気と熱交換した冷媒は、冷媒出口管１０を介して冷却器から流出し、冷凍機に戻る。
【００１７】
一方、庫内空気は、送風機７によってケーシング４内に吸い込まれ、冷却器６を通過して冷却され、再び庫内へ送風される。冷却運転時、冷却器６（図示しない冷却管及びフィン）の各表面を庫内空気が通過する際に、冷却器（冷却管及びフィン）と周囲空気の温度差により庫内空気が冷却されて、空気中の水分が結露する。低温域使用では、結露水が氷結し霜となる。霜が冷却器の冷却管やフィンに蓄積されると、冷却器６は目詰まりを生じ、熱効率が低下して、性能が低下する。そのため、低温用のユニットクーラ２には図示しない除霜ヒータが冷却器に配置される。除霜運転により、ヒータに通電して冷却器に付着した霜を溶解させる。
【００１８】
冷却器下方のドレンパン５は、除霜時の溶解水や霜の塊を受けてこれらをユニットクーラ外に排水させる。しかしながら、除霜ヒータにより溶解した水や霜の塊は、冷却器６下方のドレンパン５内に滴下、蓄積される。これらの溶解水は、周囲温度が氷点下であると、ドレンパン５で再凍結して霜となる。霜が蓄積されると、冷却器６や送風機７に干渉して性能を低下させる。そこで、ドレンパン５にはドレンパンヒータ８が取り付けられる。溶解水が再凍結した霜や冷却器より受けた霜の塊が蓄積されて、送風機や冷却器に干渉しないように、除霜ヒータと同様に、除霜運転時に通電して、ドレンパンに蓄積した霜を溶解させる。溶解して水となった霜は、ドレンパン５に接続した配水管１１にから排水される。尚、ドレンパンヒータ８は蛇行状又はＵ字状に形成される（本実施例ではＵ字状）。このような除霜運転を繰り返すことにより、ドレンパンヒータ８は発熱及び自然冷却を繰返し、熱膨張・熱収縮の熱変形が繰返し生じる。
【００１９】
ドレンパンヒータ８は図１に示すように、金属ワイヤ１２を介して片側開放バンド１３に押さえつけられて、ドレンパン４に固定される。
【００２０】
金属ワイヤ１２は、図３に示すように、断面が丸のワイヤで構成される。金属ワイヤ１２には凸部１４が形成されており、凸部１４がドレンパンヒータ８のガイドとなり、ドレンパンヒータ８の移動を規制する。
【００２１】
片側開放バンド１３は、図４示すように、片側開放バンド１３は、一端がドレンパン５に固定され、他端は下方に開放された開放凹部１５を有する。ドレンパンヒータ８の上方を渡して金属ワイヤ１２の両端がドレンパンヒータ８の両側に配置された片側開放バンド１３の開放凹部１５によりそれぞれ保持されることにより、金属ワイヤ１２がドレンパンヒータ８をドレンパン５に固定する（金属ワイヤ１２によりドレンパンヒータ８をドレンパン５側に押さえつける。）。金属ワイヤ１２に復元力が発生するように、開放凹部１５の高さが調整される。
【００２２】
ドレンパンヒータ８をドレンパン５に設置する際は、上述したように、ドレンパンヒータ８の両端に片側開放バンド１３を配置し、金属ワイヤ１２の凸部１４の下方にドレンパンヒータ８が位置するように金属ワイヤ１２を配置する。金属ワイヤ１２両端にドレンパン５方向に力を加えて湾曲させて、金属ワイヤ１２の両端それぞれを片側開放バンド１３の開放凹部１５に挿入する。金属ワイヤ１２に生じた復元力によりドレンパンヒータ８をドレンパン５に押さえつけ固定する。
【００２３】
同様に、ドレンパンヒータ８をドレンパン５から取り外す際は、金属ワイヤ１２を湾曲させて、金属ワイヤ１２両端を開放凹部１５から外すことで金属ワイヤ１２を片側開放バンド１３から取り外す。その結果、金属ワイヤ１２により固定されるドレンパンヒータ８をドレンパン５から取り外すことができる。固定金具の固定にネジを使用していないため、部品点数が削減され、さらに作業時間が削減できる。
【００２４】
本実施例のユニットクーラにおいては、固定装置によりドレンパンヒータをドレンパン平面鉛直方向に対して固定できるとともに、ドレンパンヒータの固定を片側開放バンドではなく金属ワイヤにより行うので、片側開放バンドの加工によるバリがなく、また、固定装置とドレンパンヒータの接触による摩擦力も低減されるので、熱膨張・熱収縮によりドレンパンヒータが変形を繰り返しても、ドレンパンヒータの変形や固定装置からの脱離を防ぐことができる。また、このような本実施例のドレンパンヒータ固定構造は、ネジや特殊な固定金具を用いずに、片側開放金属バンドにより金属ワイヤを介してドレンパンヒータを固定しているため、金属ワイヤを操作することでドレンパンヒータの取付け／取外しを容易に行うことができる。
【符号の説明】
【００２５】
１  冷蔵・冷凍庫本体
２  ユニットクーラ
３  吊下金具
４  ケーシング
５  ドレンパン
６  冷却器
７  送風機
８  ドレンパンヒータ
９  冷媒入口管
１０  冷媒出口管
１１  配水管
１２  金属ワイヤ
１３  片側開放バンド
１４  凸部（金属ワイヤ）
１５  凹部（片側開放バンド）
【図１】
2015059723.tif 000003
【図２】
2015059723.tif 000004
【図３】
2015059723.tif 000005
【図４】
2015059723.tif 000006